(57)【要約】【課題】サーモスタットなどのモニター回路構成部品の位置ずれによる手直しを防止可能な固定用治具を提供する。【解決手段】先端が雄ねじのスタッド部３６を有するサーモスタット３２がセットされる第１位置決め部１１０と、スタッド部３６が遊貫する貫通孔部を有するサーモスタット取付部品２５Ａがセットされる第２位置決め部１２０とを一体に備え、第１位置決め部１１０と第２位置決め部１２０とは、スタッド部３６を貫通孔部に遊貫し位置合わせした状態にし、この状態でスタッド部３６にサーモスタット固定用ナット５３が締結されることによってサーモスタット３２とサーモスタット取付部品２５Ａとが固定されるようにした。【選択図】図９
0003186653.tif 000002
【実用新案登録請求の範囲】
【請求項１】
先端が雄ねじのスタッド部を有するモニター回路構成部品がセットされる第１位置決め部と、前記スタッド部が遊貫する遊貫孔を有する被取付部品がセットされる第２位置決め部とを一体に備え、
前記第１位置決め部と前記第２位置決め部とは、前記スタッド部を前記遊貫孔部に遊貫し位置合わせした状態にし、この状態で前記スタッド部にナットが締結されることによって前記モニター回路構成部部品と前記被取付部品とが固定されることを特徴とする固定用治具。
【請求項２】
前記第１位置決め部は、前記モニター回路構成部品が前記スタッド部の軸方向に出し入れ自在で、前記スタッド部の径方向に移動不能にする貫通孔を有し、
前記第２位置決め部は、前記被取付部品が前記スタッド部の軸方向に出し入れ自在で、前記スタッド部の径方向に移動不能にする凹形状を有することを特徴とする請求項１に記載の固定用治具。
【請求項３】
前記第１位置決め部は、前記貫通孔の一部を軸方向全体に渡って開口させる切り欠き部を有することを特徴とする請求項２に記載の固定用治具。
【考案の詳細な説明】
【技術分野】
【０００１】
本考案は、サーモスタットなどのモニター回路構成部品の取り付けに使用する固定用治具に関する。
【背景技術】
【０００２】
蓄電池には、蓄電池ケースの内部にサーモスタットを配置したものがある（例えば、特許文献１参照）。この特許文献１には、蓄電池ケースの内面のサーモスタットに対向する面に該サーモスタットを位置決めするための凹部を設けた構成が記載されている。この構成では、蓄電池ケース内面とケース内の単電池との間にサーモスタットの配置スペースを空ける必要がある。
また、蓄電池には、先端が雄ねじのスタッド部を有するサーモスタットと、スタッド部が遊貫する遊貫孔部を有するサーモスタット取付部品とを備え、作業者が目合わせによってサーモスタットとサーモスタット取付部品とを位置合わせするものもある。
【先行技術文献】
【特許文献】
【０００３】
【特許文献１】実開昭６１−１１３３７８号公報
【考案の概要】
【考案が解決しようとする課題】
【０００４】
しかし、作業者の目合わせによる位置合わせでは、取付位置のばらつきが大きくなる。このため、位置精度が要求される製品では、位置ずれによる手直しが発生する場合があった。
本考案は、上述した事情を鑑みてなされたものであり、サーモスタットなどのモニター回路構成部品の位置ずれによる手直しを回避可能な固定用治具を提供することにある。
【課題を解決するための手段】
【０００５】
上述した課題を解決するため、本考案は、先端が雄ねじのスタッド部を有するモニター回路構成部品がセットされる第１位置決め部と、前記スタッド部が遊貫する遊貫孔を有する被取付部品がセットされる第２位置決め部とを一体に備え、前記第１位置決め部と前記第２位置決め部とは、前記スタッド部を前記遊貫孔部に遊貫し位置合わせした状態にし、この状態で前記スタッド部にナットが締結されることによって前記モニター回路構成部部品と前記被取付部品とが固定されることを特徴とする固定用治具を提供する。
【０００６】
本考案は、上記構成において、前記第１位置決め部は、前記モニター回路構成部品が前記スタッド部の軸方向に出し入れ自在で、前記スタッド部の径方向に移動不能にする貫通孔を有し、前記第２位置決め部は、前記被取付部品が前記スタッド部の軸方向に出し入れ自在で、前記スタッド部の径方向に移動不能にする凹形状を有することを特徴とする。
【０００７】
また、本考案は、上記構成において、前記第１位置決め部は、前記貫通孔の一部を軸方向全体に渡って開口させる切り欠き部を有することを特徴とする。
また、本考案は、上記構成において、前記被取付部品は、蓄電池を構成する複数の単電池から突出する端子が貫通するとともに、貫通した前記端子間に前記モニター回路構成部品が配置される接続板であり、前記第１位置決め部と前記第２位置決め部とは、前記貫通した端子と前記モニター回路構成部品との間に所定の隙間を確保するように、前記スタッド部と前記遊貫孔部とを位置合わせすることを特徴とする。
【考案の効果】
【０００８】
本考案では、先端が雄ねじのスタッド部を有するモニター回路構成部品がセットされる第１位置決め部と、前記スタッド部が遊貫する遊貫孔を有する被取付部品がセットされる第２位置決め部とは、前記スタッド部を前記遊貫孔部に遊貫し位置合わせした状態にする。そして、この状態で前記スタッド部にナットが締結されることによって前記モニター回路構成部部品と前記被取付部品とが固定されるようにしたので、モニター回路構成部品の位置ずれによる手直しを回避することができる。
【図面の簡単な説明】
【０００９】
【図１】本考案の固定用治具を用いる蓄電池の側面図である。
【図２】蓄電池を上方から見た場合の一部内部構造を示した図である。
【図３】サーモスタットアッシーを上方から見た図である。
【図４】サーモスタットアッシーを側方から見た図である。
【図５】サーモスタット取付部品を示した図である。
【図６】サーモスタットを示した図である。
【図７】固定用治具の平面図である。
【図８】固定用治具の側面図である。
【図９】図７の固定用治具にサーモスタットとサーモスタット取付部品をセットした図である。
【図１０】図８の固定用治具にサーモスタットとサーモスタット取付部品をセットした図である。
【考案を実施するための形態】
【００１０】
以下、図面を参照して本考案の実施形態について説明する。
図１は、本考案の固定用治具を用いる蓄電池１０の側面図である。また、図２は、蓄電池１０を上方から見た場合の一部内部構造を示した図である。なお、以下に述べる上下などの各方向は、蓄電池１０を設置したときの各方向に対応する。
この蓄電池１０は、様々な電池利用機器に搭載されるものであり、各部の寸法や仕様（後述するサーモスタット取付部品２５Ａやサーモスタット３２の形状や仕様も含む）が予め定めた規格に従って決定された蓄電池である。
【００１１】
図１及び図２に示すように、蓄電池１０は、金属製の電池収納ケース１１と、電池収納ケース１１に収納される複数の単電池２１とを備えている。
電池収納ケース１１は、上方が開口する矩形箱形状の電槽ケース１２と、電槽ケース１２の上方開口を覆う蓋部１３とを有している。蓋部１３は、電池収納ケース１１に設けられたロック機構１４に係止可能な係止金具１５を有し、ロック機構１４を介して電槽ケース１２に着脱自在である。
【００１２】
単電池２１は、電槽ケース１２の内周面に囲まれる領域内をほぼ埋めるように並べて配置されており、本実施形態では１０セル単位で２列配置している。
各単電池２１は、直方体の箱形状を有し、上面から上方に突出する一対の端子（正極端子、負極端子）２２を備え、隣接する単電池２１の端子２２同士が、導体である接続板２５によって電気的に接続される。これら接続板２５によって、各単電池２１が直列或いは並列に接続され、必要電圧や必要容量を確保した「蓄電池」が構成される。
【００１３】
電池収納ケース１１内には、これら単電池２１と蓋部１３との間に空くスペースを利用して、蓄電池１０をモニターするためのモニター回路３１が設けられている。このモニター回路３１は、モニター回路構成部品として、蓄電池１０内の温度に応じて作動するサーモスタット３２，３２や不図示の温度センサなどを有し、サーモスタット３２，３２の作動結果やセンサ出力を電池収納ケース１１の外に設けた出力部３３（図１）に出力する。
【００１４】
出力部３３は、サーモスタット３２，３２などから延びる電気配線３４が接続されたコネクタに構成され、電池利用機器から延びる電気配線（不図示）がコネクタ接続される。この構成により、例えば、サーモスタット３２，３２のいずれかが予め定めた温度（例えば、上限温度７０℃）で作動すると、その作動が電池利用機器に検出され、警告処理などを行うことができる。なお、サーモスタット３２，３２は、サーモスイッチとも称する部品である。
【００１５】
図３は、サーモスタット３２，３２のアッセンブリ（以下、サーモスタットアッシーと言う）３５を上方から見た図であり、図４は、サーモスタットアッシー３５を側方から見た図である。なお、サーモスタット３２，３２は同構造である。
図３及び図４に示すように、サーモスタットアッシー３５は、サーモスタット３２に電気配線３４を取り付けるとともに、サーモスタット３２をサーモスタット取付部品２５Ａに取り付けることによって形成される。
サーモスタット３２は、円柱形状の本体部３２Ａと、本体部３２Ａから外部に突出するスタッド部３６とを有している。なお、スタッド部３６は、円柱形状の本体部３２Ａの軸心に沿って突出している。本体部３２Ａのスタッド部３６と反対側の面には、電気配線３４が接続される端子部３２Ｔが設けられている。
【００１６】
サーモスタット取付部品２５Ａは、隣接する単電池２１の端子２２同士を接続する金属製の接続板２５（図２参照）を兼用している。このサーモスタット取付部品２５Ａは、銅製の平板部材にニッケルメッキを施して製作され、単電池２１から突出する端子２２が貫通する一対の孔部４１，４１を有し、孔部４１，４１の間にサーモスタット３２を支持している。
なお、サーモスタット３２やスタッド部３６は、サーモスタット取付部品２５Ａに取り付けた後、絶縁性や耐食性などを確保するためにエポキシ樹脂３５Ｊで覆われる。
図２に示すように、単電池２１から突出する端子２２は、雄ねじに形成され、上方からナット（以下、端子固定用ナットと言う）５１を締結することにより、端子２２とサーモスタット取付部品２５Ａとが固定される。なお、図３には、端子固定用ナット５１を二点鎖線で示している。
【００１７】
図５は、サーモスタット取付部品２５Ａを示した図であり、図６は、サーモスタット３２を示した図である。
図５に示すように、サーモスタット取付部品２５Ａは、上面視で三角形状の平板部材に形成され、三角形の各頂点に対応する位置に、上記一対の孔部４１，４１と、孔部４１，４１よりも小径の貫通孔部４２とを有している。
貫通孔部４２は、サーモスタット３２のスタッド部３６（図６参照）が遊貫する遊貫孔（大径孔）に形成されている。
【００１８】
サーモスタット３２を組み付ける場合には、図４に示したように、スタッド部３６の先端に設けられた雄ねじ部３６Ａを、サーモスタット取付部品２５Ａよりも突出させる。この状態で、雄ねじ部３６Ａにナット（以下、サーモスタット固定用ナットと言う）５３を締結することにより、サーモスタット３２がサーモスタット取付部品２５Ａに固定される。
ここで、図６に示すように、スタッド部３６の基端部は、雄ねじ部３６Ａよりも小径の小径軸部３６Ｂに形成されている。このため、スタッド部３６をサーモスタット取付部品２５Ａに通した状態では（図４参照）、スタッド部３６の小径軸部３６Ｂと貫通孔部４２との間に比較的大きい隙間が空くことなる。この隙間により、サーモスタット３２とサーモスタット取付部品２５Ａの取付位置が定まらず、取付位置のずれ（位置ずれ）を招いてしまう。
【００１９】
図２に示したように、本構成では、サーモスタット取付部品２５Ａを貫通した端子２２間にサーモスタット３２を配置するため、端子２２とサーモスタット３２との間に隙間を確保しておく必要がある。しかし、上記位置ずれが生じると、十分な隙間を確保できなくなってしまう。
十分な隙間を確保できない場合には、端子２２とサーモスタット３２とが近づきすぎて、端子固定用ナット５１（図２、図３）の締結作業が困難になる。実際には、図３に示すように、サーモスタット３２はエポキシ樹脂３５Ｊで覆われるため、十分な隙間がないと、エポキシ樹脂３５Ｊと端子２２との間の隙間が狭くなり、端子固定用ナット５１の締結作業が困難になる。
【００２０】
以上のことから、サーモスタット３２とサーモスタット取付部品２５Ａとの位置合わせを、作業者の目合わせで行った場合、位置精度が要求されるため、位置ずれによる手直しが発生することがあり、作業が繁雑になってしまう。
そこで、本実施形態では、サーモスタット３２とサーモスタット取付部品２５Ａとを位置合わせする固定用治具１００を設け、固定用治具１００により位置合わせを行った状態でサーモスタット３２とサーモスタット取付部品２５Ａとを固定できるようにしている。
【００２１】
図７は、固定用治具１００を上方から見た図であり、図８は側方から見た図である。また、図９は、図７の固定用治具１００にサーモスタット３２とサーモスタット取付部品２５Ａをセットした図であり、図１０は、図８の固定用治具１００にサーモスタット３２とサーモスタット取付部品２５Ａをセットした図である。
固定用治具１００は、合成樹脂などの剛性を有する材料（本実施形態ではフェノール樹脂）で形成されており、大別すると、サーモスタット３２がセットされる第１位置決め部１１０と、サーモスタット取付部品２５Ａがセットされる第２位置決め部１２０とを一体に備えている。
なお、図８には、説明を判りやすくするため、第１位置決め部１１０の範囲を値Ｘで示し、第２位置決め部１２０の範囲を値Ｙで示している。
【００２２】
図７及び図８に示すように、第１位置決め部１１０は、サーモスタット３２がスタッド部３６の軸方向（符号Ｌ１に沿う方向）に出し入れ自在であり、且つ、スタッド部３６の径方向に移動不能である貫通孔１１１を有している。なお、各図において、符号Ｌ１は、第１位置決め部１１０にサーモスタット３２を挿入した場合のスタッド部３６の軸（軸心）であり、サーモスタット３２の中心軸にも相当している。
詳述すると、この貫通孔１１１は、サーモスタット３２の外周面に沿った内周面を有し、これによって、この内周面に沿ってサーモスタット３２を軸Ｌ１方向に挿脱自在に案内することができる（図９、図１０参照）。また、図７に示すように、貫通孔１１１は、この貫通孔１１１に挿入されたサーモスタット３２の軸Ｌ１を中心とした１８０度以上の範囲θ１（本実施形態ではθ＝２７０度）の孔に形成されている。これによって、サーモスタット３２が貫通孔１１１から径方向に抜けることがなく、サーモスタット３２がスタッド部３６の径方向に移動することを規制することができる（図９参照）。
【００２３】
また、第１位置決め部１１０は、図７に示すように、貫通孔１１１の一部を貫通孔１１１の軸方向全体に渡って開口させる切り欠き部１１３を有している。上記したように、貫通孔１１１は軸Ｌ１を中心とした２７０度（θ１）の範囲に形成されているため、切り欠き部１１３は、軸Ｌ１を中心とする９０度（３６０度−２７０度）の範囲に形成される。
この切り欠き部１１３を設けることによって、貫通孔１１１に挿入されたサーモスタット３２が外部から視認可能となってサーモスタット３２を挿脱し易くなるとともに、サーモスタット３２の端子部３２Ｔや端子部３２Ｔに接続された電気配線３４を貫通孔１１１外に逃がすことができる（図９、図１０参照）。
【００２４】
第２位置決め部１２０は、第１位置決め部１１０にセットされたサーモスタット３２に対し、サーモスタット取付部品２５Ａを位置合わせする凹形状に形成されている。より具体的には、図７に示すように、第２位置決め部１２０は、第１位置決め部１１０の貫通孔１１１の端面に連続し、サーモスタット取付部品２５Ａが載置される載置面（当接面）Ｍ１と、載置面Ｍ１に載置されたサーモスタット取付部品２５Ａの周囲に立ち上がる立上壁１２３，１２４，１２５とを有している。
立上壁１２３，１２４，１２５は、サーモスタット取付部品２５Ａの上記軸Ｌ１の径方向への移動を規制するように、サーモスタット取付部品２５Ａの異なる複数箇所（本実施形態では５箇所）に当接する複数（５つ）の当接面Ｍ２〜Ｍ６を有している（図９参照）。
【００２５】
図７及び図９に示すように、立上壁１２３は、平面視でコ字状に形成されており、サーモスタット取付部品２５Ａの孔部４１，４１に対応する角部に当接する当接面Ｍ２，Ｍ３、及び、上記角部間をつなぐ一辺に当接する当接面Ｍ４を有している。また、立上壁１２４，１２５は、サーモスタット取付部品２５Ａの残りの２辺に当接する当接面Ｍ５，Ｍ６を有している。これらの当接面Ｍ２〜Ｍ６によって、サーモスタット取付部品２５Ａを軸Ｌ１の径方向に移動不能に位置決めすることができる。
【００２６】
以上の構成により、サーモスタット３２とサーモスタット取付部品２５Ａとを固定用治具１００にセットすることにより、図９及び図１０に示すように、サーモスタット３２のスタッド部３６とサーモスタット取付部品２５Ａの貫通孔部４２（図５）とを位置合わせすることが可能である。
この位置合わせした状態で、同図９及び図１０に示すように、スタッド部３６にサーモスタット固定用ナット５３を締結することにより、サーモスタット３２とサーモスタット取付部品２５Ａとを精度良く固定することが可能になる。
【００２７】
ここで、本構成では、固定用治具１００にセットされたサーモスタット３２が軸Ｌ１方向に移動自在であり、また、固定用治具１００にセットされたサーモスタット取付部品２５Ａについても、軸Ｌ１方向に抜けることが可能である。このため、サーモスタット３２とサーモスタット取付部品２５Ａとをサーモスタット固定用ナット５３で仮締めした状態で、固定用治具１００に容易にセットすることができる。
仮締めした状態で固定用治具１００にセットできれば、その状態で、サーモスタット固定用ナット５３を本締めすることにより、サーモスタット３２とサーモスタット取付部品２５Ａとを容易かつ迅速に固定することができる。この場合、固定用治具１００にセットされたサーモスタット３２及びサーモスタット取付部品２５Ａが分離しないので、簡易に締結作業を行うことが可能である。
【００２８】
以上説明したように、本実施の形態では、固定用治具１００により、サーモスタット３２のスタッド部３６とサーモスタット取付部品２５Ａの貫通孔部（遊貫孔）４２とを位置合わせした状態にし、この状態でスタッド部３６にサーモスタット固定用ナット５３が締結されることによってサーモスタット３２とサーモスタット取付部品２５Ａとが固定されるようにしている。これによって、サーモスタット３２とサーモスタット取付部品２５Ａとの位置ずれによる手直しを回避することができ、これらを容易に固定することができる。
【００２９】
また、固定用治具１００は、サーモスタット３２がセットされる第１位置決め部１１０と、サーモスタット取付部品２５Ａがセットされる第２位置決め部１２０とを一体に備えている。そして、第１位置決め部１１０は、サーモスタット３２がスタッド部３６の軸方向に出し入れ自在で、スタッド部３６の径方向に移動不能にする貫通孔１１１を有し、第２位置決め部１２０は、サーモスタット取付部品２５Ａがスタッド部３６の軸方向に出し入れ自在で、スタッド部３６の径方向に移動不能にする凹形状を有している。
この構成によれば、サーモスタット３２とサーモスタット取付部品２５Ａとがスタッド部３６の軸方向に出し入れ自在であるため、これらをサーモスタット固定用ナット５３で仮締めした状態でセットすることができる。これにより、セット後に本締めすることによって容易に締結することが可能である。
【００３０】
さらに、第１位置決め部１１０は、貫通孔１１１の一部を軸方向全体に渡って開口させる切り欠き部１１３を有している。この構成によれば、サーモスタット３２が外部から視認可能となってサーモスタット３２を挿脱し易くなるとともに、サーモスタット３２の端子部３２Ｔなどを貫通孔１１１外に逃がすことができる。
また、本構成においては、サーモスタット取付部品２５Ａは、蓄電池１０を構成する複数の単電池２１から突出する端子２２，２２が貫通するとともに、貫通した端子２２，２２間にサーモスタット３２が配置される接続板２５である。そして、第１位置決め部１１０と第２位置決め部１２０とは、貫通した端子２２，２２とサーモスタット３２との間に所定の隙間を確保するように、スタッド部３６と貫通孔部（遊貫孔部）４２とを位置合わせする構成である。このため、上記固定用治具１００を用いることにより、貫通した端子２２，２２とサーモスタット３２との間に所望の隙間を確保してサーモスタット３２とサーモスタット取付部品２５Ａとを容易に締結することが可能であり、作業性を向上することができる。
【００３１】
上述した実施形態は、あくまでも本考案の一態様を示すものであり、本考案の主旨を逸脱しない範囲で任意に変形及び応用が可能である。
例えば、上述の実施形態では、サーモスタット３２の位置合わせに使用する固定用治具１００を説明したが、サーモスタット３２に限定しなくても良い。モニター回路３１を有する蓄電池は、モニター回路３１を構成する部品（モニター回路構成部品）として、温度センサなどのサーモスタット３２以外の電気部品を具備することがあり、この種のモニター回路構成部品をサーモスタット３２と同様の構造で取り付ける場合に本考案を適用可能である。
すなわち、先端が雄ねじのスタッド部３６を有するモニター回路構成部品と、スタッド部３６が遊貫する貫通孔部（遊貫孔）４２を有する被取付部品とを位置合わせする固定用治具に本考案を適用することが可能である。
【符号の説明】
【００３２】
１０  蓄電池
１１  電池収納ケース
２１  単電池
２２  端子
２５  接続板
２５Ａ  サーモスタット取付部品（接続板、被取付部品）
３１  モニター回路
３２  サーモスタット（モニター回路構成部品）
３２Ａ  本体部
３２Ｔ  端子部
３６  スタッド部
４１  孔部
４２  貫通孔部（遊貫孔）
５１  端子固定用ナット
５３  サーモスタット固定用ナット
１００  固定用治具
１１０  第１位置決め部
１１１  貫通孔
１１３  切り欠き部
１２０  第２位置決め部
Ｌ１  スタッド部の軸（軸心）
【図１】
0003186653.tif 000003
【図２】
0003186653.tif 000004
【図３】
0003186653.tif 000005
【図４】
0003186653.tif 000006
【図５】
0003186653.tif 000007
【図６】
0003186653.tif 000008
【図７】
0003186653.tif 000009
【図８】
0003186653.tif 000010
【図９】
0003186653.tif 000011
【図１０】
0003186653.tif 000012